(57)【要約】      （修正有）【課題】新聞などの大きめの原稿の一部を複写機でコピーするために、原稿台（ガラス面）に新聞などを裏にして広げておくと、原稿台（ガラス面）の周りにある紙の大きさ（Ｂ５・Ａ４・Ｂ４等）を示す印が隠れてしまい、又コピーしたいところは裏側になっている為表からは見えず、コピーしたい用紙の範囲のところに裏になっている原稿を移動しセットすることは大変困難だった。【解決手段】複写機の原稿カバーが開いているときにのみ、原稿台（ガラス面）の内部下側から、複写機が今コピーをとる範囲を原稿台（ガラス面）にレーザー光線などで照射する。照射された光線がガラス面を透かし、コピーをとりたい新聞などの原稿を透かして表から見えるため、どの位置に原稿を移動すればいいか表から確認出来る。また、原稿台（ガラス面）に裏にして置いた新聞などの原稿を表から見えるようにするために、原稿台（ガラス面）の内部下側に光源などを設置する。【選択図】図２
2019047473.tif 000002
【特許請求の範囲】
【請求項１】
複写機の原稿カバーが開いているときのみ、原稿台（ガラス面）の内部下部に設置した光源から光を出し、原稿台（ガラス面）の裏側から原稿台（ガラス面）全体が明るく発光したようにした複写機。
【請求項２】
複写機の原稿カバーが開いているときのみ、原稿台（ガラス面）の内部下側に設置したレーザー光線などで、複写機が今コピーをとる範囲を原稿台（ガラス面）の裏側に照射するようにした複写機。
【請求項３】
複写機の原稿カバーが開いているときのみ、複写機が選択した紙の大きさ（ハガキ・Ｂ５・Ａ４・Ｂ４・Ａ３など）に合わせて、原稿台（ガラス面）の下側に設置したレーザー光線などが紙の大きさ（ハガキ・Ｂ５・Ａ４・Ｂ４・Ａ３など）に切り替えて原稿台（ガラス面）の裏側から原稿台（ガラス面）に光線を照射するようにした複写機。
【請求項４】
上記請求項１と請求項２を組み合わせた複写機。
【請求項５】
記請求項１と請求項３を組み合わせた複写機。
【発明の詳細な説明】
【技術分野】
【０００１】  本発明は、書類や新聞の必要な部分をコピーする複写機に関することで、複写機の原稿台（ガラス面）に原稿もしくは新聞を置いたとき、原稿台（ガラス面）の中に設置した照明により原稿下側から明かりが原稿に照射されるため原稿が透けて見えるので、コピーしたい部分（通常は裏面になっている為、上から見てはコピーをとりたいところは見えない）を上から確認が出来るようにした事に関するものである。
【背景技術】
【０００２】  いままで新聞などの一部をＢ５用紙に複写機でコピーするためには、複写機の原稿台（ガラス面）に新聞を開いてコピーをとりたいところをＢ５用紙の範囲に合わせようとしても、コピーをとりたいところが裏面で表から見えないため、Ｂ５用紙の範囲にコピーをとりたいところを位置決めするのは大変難しかった。
又  Ｂ５用紙の位置や大きさも原稿台（ガラス面）に新聞を広げてしまうと、原稿台（ガラス面）の前後左右にある用紙の大きさの印字が隠れてしまい、Ｂ５の位置や大きさが把握しにくくコピーをとるのが大変難しかった。
【発明の概要】
【発明が解決しようとする課題】
【０００３】    複写機でコピーをとるために原稿台（ガラス面）に新聞などの原稿を裏側に置いたとき、裏側に置いた原稿などのとりたい部分を上から見ておおざっぱに確認でき、又  複写機がコピーをとる範囲も上から見て確認できることを課題とした。
【課題を解決するための手段】
【００４】  今回の発明は原稿台（ガラス面）に新聞や原稿用紙などを置いたときに、原稿台（ガラス面）の裏側から新聞などの原稿に光が当たるように光源を原稿台（ガラス面）の内部下のあたりに設置し、原稿台（ガラス面）の上に裏側に置いた新聞などの裏側の情報を透かして上から確認出来るようにするために、原稿台（ガラス面）の裏側から光を投射し原稿台（ガラス面）全体を明るく発光するようにした。【００５】又  新聞などの原稿を原稿台（ガラス面）の上に置いたときに複写機がコピーをとる範囲が表からわかるように、原稿台（ガラス面）の裏側からコピーをとる範囲をレーザー光線などで縦と横に照射し、原稿台（ガラス面）裏側から照射された縦横のレーザー光線が原稿台（ガラス面）に置いた新聞などの原稿用紙を透かし、複写機がコピーをとる範囲を新聞などの原稿用紙の上から確認出来るようにした。【００６】  原稿台（ガラス面）裏側からの光やレーザー光線の照射は、原稿カバーを開けて新聞などの原稿を位置決めし設置しているときのみで、原稿カバーを閉めているときは、新聞などの原稿を透かすための光やレーザー光線の照射は絶対にでないようにする。
【発明の効果】
【００７】  新聞など複写機の原稿台（ガラス面）に収まり切れない原稿の一部をコピーする為に、原稿台（ガラス面）に大きな原稿を裏側にして置いたとき、下からの光により裏側の内容がだいたい透けて見えるため、コピーをとりたい必要な所が上から確認でき、原稿台（ガラス面）にコピーをとりたい所を確実に置くことができる。【００８】  又  原稿台（ガラス面）に今複写機がコピーをとる範囲を、原稿台（ガラス面）内部裏側からレーザー光線などが照射されて原稿を透かして範囲を指示している為、透かしている範囲の中にとりたい内容のところを移動すれば、確実に選んだコピー用紙にコピーをとることができる。
又  複写機がコピーをとる範囲とはコピーをとる紙の大きさなので、紙の大きさがレーザー光線で指示されている為、コピー用紙の選び間違いがなくなる。【００９】  又  原稿の中の一部分のみだけが必要な原稿を、何枚か重ね合わせて一枚の用紙にコピーする場合でも、裏にして重なっている原稿も数枚ぐらい（紙の厚さにもよる）までは透けて裏側の内容が見えるため、重ね合わせての部分コピーが確実に出来るようになる。
【図面の簡単な説明】
【図１】本発明の実施例１
【０１０】  図１の本発明の実施例１について、図面を引用して説明する。
実施例１は、従来からある複写機（１）の原稿台（ガラス面）（２）の内部下側に光源（５）とレーザー光線発生器（４）を設置し、原稿カバー（３）が開いているときのみ光源（５）から光が発生し、原稿台（ガラス面）（２）の内部からガラス面全体を明るく発光させる。
原稿カバー（３）を閉じるとスイッチ（７）により光線（５）の光が消える。【０１１】  又  原稿カバー（３）が開いているときのみ、複写機（１）が今コピーをとる範囲を指示するため、レーザー光線発生器（４）からレーザー光線（６）が原稿台（ガラス面）（２）裏側から照射し、複写機（１）が今コピーをとる範囲を縦横に照射したレーザー光線（６）で上から見えるようにした。
原稿カバー（３）を閉じるとスイッチ（７）によりレーザー光線（６）の光が消える。
【図２】本発明の実施例２
【０１２】図２の本発明の実施例２は、新聞（１１）の一部をコピーする為に新聞（１１）を複写機（１）に置いたもので、紙を透かした明かり（８）により透けて見える新聞の裏側の文字や図形（１０）を確認し、紙を透かしたレーザー光線（９）の範囲内に新聞（１１）のコピーしたい部分を移動すれば確実に上から見ながら原稿を設置できる。
原稿カバー（３）を閉じるとスイッチ（７）によりレーザー光線（６）光源（５）の光が消えるので、原稿カバー（３）を閉じて複写機（１）のスタートボタンを押すとコピーしたい部分のコピーがとれる。
【符号の説明】１  複写機
２  原稿台（ガラス面）
３  原稿カバー
４  レーザー光線発生器
５  光源
６  レーザー光線
７  スイッチ
８  紙を透かした明かり
９  紙を透かしたレーザー光線
１０  透けて見える新聞の裏側の文字や図形
１１  新聞
【図１】
2019047473.tif 000003
【図２】
2019047473.tif 000004